(57)【要約】  【課題】  測定装置と読取り装置とがデータ中継装置を介してデータ通信を行うデータ送受信システムにおいて、通信時間の短縮を図る。  【解決手段】  測定装置１０と読取り装置３０とがデータ中継装置２０を介してデータ通信を行うデータ送受信システムとして、測定装置１０は、データ中継装置２０に電源を供給する接点と、測定データを伝える接点を備えたものであり、データ中継装置２０は、非接触通信を行い、非接触通信による受信エネルギーで内部電源電圧を生じる第１の送受信回路２３と、第１の送受信回路２３および測定装置１０から電源を受けて制御を行う制御回路２１と、第１の送受信回路２３および測定装置１０から電源を受けてデータの記憶を行うメモリ２２とを備えたものであり、読取り装置３０は、データ中継装置２０との間で非接触通信を行う第２の送受信回路３２を備える。【選択図】  図１
2005149081.tif 000002
【特許請求の範囲】
【請求項１】
測定装置と読取り装置とがデータ中継装置を介してデータ通信を行うデータ送受信システムであって、
前記測定装置は、前記データ中継装置に電源を供給するとともに測定データを送出するように構成され、
前記データ中継装置は、前記測定装置から電源を受けて起動して前記測定装置から受け取った測定データを記憶するとともに、前記読取り装置との間で非接触通信を行い、前記非接触通信による受信エネルギーで内部電源電圧を生じて起動し、前記読取り装置からの要求信号に基づいて前記記憶している測定データを非接触通信で前記読取り装置に送信するように構成され、
前記読取り装置は、前記データ中継装置との間で非接触通信を行い、非接触通信による送信エネルギーを前記データ中継装置に送出するとともに要求信号を前記データ中継装置に送信し、前記データ中継装置からの測定データを受信するように構成されていることを特徴とするデータ送受信システム。
【請求項２】
測定装置と読取り装置とがデータ中継装置を介してデータ通信を行うデータ送受信システムであって、
前記測定装置は、前記データ中継装置に電源を供給する接点と、測定データを伝える接点を備えたものであり、
前記データ中継装置は、非接触通信を行い、非接触通信による受信エネルギーで内部電源電圧を生じる第１の送受信回路と、前記測定装置から電源を受ける状態と前記第１の送受信回路から電源供給を受ける状態との両方またはいずれか一方の状態で前記測定装置との間でデータ通信を行う制御回路と、前記測定装置から受け取った前記測定データの記憶を行うメモリとを備えたものであり、
前記読取り装置は、前記データ中継装置との間で非接触通信を行い、非接触通信による送信エネルギーを前記データ中継装置に送出するとともに要求信号を前記データ中継装置に送信し、前記データ中継装置からの測定データを受信する第２の送受信回路を備えたものであることを特徴とするデータ送受信システム。
【請求項３】
測定装置と読取り装置とがデータ中継装置を介してデータ通信を行うデータ送受信システムであって、
前記読取り装置からの要求信号を受ける前に、前記測定装置が前記データ中継装置に測定データを記憶させておくことを特徴とするデータ送受信システム。
【請求項４】
測定装置と読取り装置とがデータ中継装置を介してデータ通信を行うデータ送受信システムであって、
前記読取り装置は、前記データ中継装置との間で非接触通信を行い、非接触通信による送信エネルギーを前記データ中継装置に送出するように構成され、
前記データ中継装置は、前記非接触通信による受信エネルギーで内部電源電圧を生じて起動し、前記内部電源電圧が一定レベル以上のときに前記測定装置に対して要求信号を送出するように構成され、
前記測定装置は、前記データ中継装置からの要求信号に基づいて測定データを前記データ中継装置に送出するように構成され、
前記データ中継装置はさらに、前記測定装置から受け取った測定データを受け取るとともに、前記読取り装置との間で非接触通信を行い、前記受け取った測定データを前記読取り装置に送信するように構成され、
前記読取り装置はさらに、前記データ中継装置との間で非接触通信を行い、前記データ中継装置からの測定データを受信するように構成されていることを特徴とするデータ送受信システム。
【請求項５】
測定装置と読取り装置とがデータ中継装置を介してデータ通信を行うデータ送受信システムであって、
前記測定装置は、測定データを伝える接点を備えたものであり、
前記データ中継装置は、非接触通信を行い、非接触通信による受信エネルギーで内部電源電圧を生じる第１の送受信回路と、前記電源電圧のレベルを検知する電圧レベル検知回路と、前記電圧レベル検知回路からの信号に基づいて要求信号を発生する要求信号発生回路と、前記第１の送受信回路が生成した電源により動作し、前記測定装置との間でデータ通信を行う制御回路と、前記第１の送受信回路が生成した内部電源電圧により動作し、前記測定データの記憶を行うメモリとを備えたものであり、
前記読取り装置は、前記データ中継装置との間で非接触通信を行い、非接触通信による送信エネルギーを前記データ中継装置に送出するとともに、前記データ中継装置からの測定データを受信する第２の送受信回路を備えたものであることを特徴とするデータ送受信システム。
【請求項６】
測定装置と読取り装置とがデータ中継装置を介してデータ通信を行うデータ送受信システムであって、
前記読取り装置から非接触通信による受信エネルギーを受け取った前記データ中継装置が測定データを読み出すための要求信号を自ら発生し、前記要求信号を前記測定装置に送出して通信を開始することを特徴とするデータ送受信システム。
【請求項７】
請求項２または請求項５に記載のデータ送受信システムにおいて、前記データ中継装置の前記第１の送受信回路と、前記読取り装置の前記第２の送受信回路は、その通信速度を、前記測定装置と前記データ中継装置との通信速度より速くしたことを特徴とするデータ送受信システム。
【請求項８】
請求項２または請求項５に記載のデータ送受信システムにおいて、前記データ中継装置の前記第１の送受信回路と前記読取り装置の前記第２の送受信回路は、電磁誘導を利用して非接触通信を行うことを特徴とするデータ送受信システム。
【請求項９】
請求項２または請求項５に記載のデータ送受信システムにおいて、前記データ中継装置の前記第１の送受信回路と前記読取り装置の前記第２の送受信回路は、電波を利用して非接触通信を行うことを特徴とするデータ送受信システム。
【請求項１０】
請求項２または請求項５に記載のデータ送受信システムにおいて、前記データ中継装置の前記第１の送受信回路と前記読取り装置の前記第２の送受信回路は、赤外線を利用して非接触通信を行うことを特徴とするデータ送受信システム。
【請求項１１】
請求項２または請求項５に記載のデータ送受信システムにおいて、前記データ中継装置の前記第１の送受信回路と前記読取り装置の前記第２の送受信回路は、光を利用して非接触通信を行うことを特徴とするデータ送受信システム。
【発明の詳細な説明】
【技術分野】
【０００１】
本発明は、測定装置と読取り装置とがデータ中継装置を介してデータ通信を行うデータ送受信システムに関する。
【背景技術】
【０００２】
図５は、従来のデータ送受信システムの概略構成を示す図である。
【０００３】
従来のデータ送受信システム１は、測定装置１０とデータ中継装置２０と読取り装置３０とを備えている。
【０００４】
測定装置１０は、測定データを取得するセンサ１１と、この測定データの処理や通信等を行う第１のマイコン１２と、第１の電源１３とを備え、第２および第３の接点（それぞれＢ，Ｃ）を介して、データ中継装置２０との通信を行う。
【０００５】
データ中継装置２０は、第２および第３の接点（Ｂ，Ｃ）を介して通信を行い、かつ、その通信を制御する制御回路２１と、測定値等のデータを記憶するメモリ２２と、変復調を行い、かつ、電源電圧を生成する第１の送受信回路２３と、交番磁界を受けて電圧を誘起する第１のアンテナ２４とを備えている。また、データ中継装置２０の電源電圧は、読取り装置３０が発生した磁界により生成される。
【０００６】
読取り装置３０は、磁界を発生する第２のアンテナ３１と、送信と変復調を行う第２の送受信回路３２と、要求信号を出力するなど通信の制御を行う第２のマイコン３３と、第２の電源３４とを備えている。
【０００７】
次に、従来のデータ送受信システムの動作概要、特に、測定装置１０が測定したデータを読取り装置３０に読み出す動作を、図６を参照しながら説明する。図６において、ｔ１は要求信号送信期間、ｔ２は制御回路による要求信号処理期間、ｔ３はデータ中継装置から測定装置への送信時期間、ｔ４は第１のマイコンの処理期間、ｔ５は測定装置からデータ中継装置への送信期間、ｔ６はデータ中継処理期間、ｔ７はデータ中継装置から読取り装置への送信期間、ｔ８は読取り装置での測定データ処理期間である。
【０００８】
まず、読取り装置３０の第２のアンテナ３１は、発生する交番磁界に信号を重畳させ、要求信号を送信する（ｔ１）。
【０００９】
その磁界によって、データ中継装置２０は、第１のアンテナ２４に誘導起電力が生じ、これを整流することにより内部電源電圧が生成され、動作可能状態となる。この動作状態において、第１の送受信回路２３は要求信号を抽出する。制御回路２１は、この抽出された要求信号を処理し（ｔ２）、測定装置１０に送信する（ｔ３）。
【００１０】
測定装置１０は、第２および第３の接点（Ｂ，Ｃ）を介して第１のマイコン１２で受信し、センサ１１または第１のマイコン１２に内蔵されたメモリから測定データを獲得し（ｔ４）、データ中継装置２０に送信する（ｔ５）。
【００１１】
データ中継装置２０は、この送信された測定データを制御回路２１で処理し（ｔ６）、第１の送受信回路２３を経て第１のアンテナ２４から送信する（ｔ７）。
【００１２】
読取り装置３０は、第２のアンテナ３１を経て第２の送受信回路３２により受信し、その測定データを第２のマイコン３３で処理する（ｔ８）。
【００１３】
これによると、測定データを読み出すまでに８工程の動作（ｔ１からｔ８まで）が必要となる。
【特許文献１】特開２０００−２９８７８９号公報（第３頁、第１図）
【発明の開示】
【発明が解決しようとする課題】
【００１４】
しかしながら、従来のデータ送受信システムでは、長い通信時間が必要であり、通信期間中、データ中継装置と読取り装置のそれぞれのアンテナ部の位置を固定するのが困難な場合があった。すなわち、通信が完了せず、データ転送ができない場合があった。
【００１５】
前記の問題に鑑み、本発明は、測定装置と読取り装置とがデータ中継装置を介してデータ通信を行うシステムにおいて、通信時間を短縮することを課題とする。
【課題を解決するための手段】
【００１６】
上記の従来の技術の課題、すなわち通信時間が長いという課題について、その要因を次のようにとらえる。測定装置に対して測定データの取得を起動する切っ掛けとなるのが読取り装置からの要求信号の送信である。この要求信号はデータ中継装置に与えられ、データ中継装置から測定装置に中継される。
【００１７】
このとき、データ中継装置は、受信した信号から要求信号を抽出し、その要求信号の処理を行ったのち、測定装置に送信する。データ中継装置自体は電源を有しないため、データ中継装置が上記の動作を実行する前提として、データ中継装置に電源を供給する必要がある。測定装置に対して測定データの取得を起動する切っ掛けとなっているのが読取り装置であるので、読取り装置が交番磁界の発生等非接触通信を行い、データ中継装置がそのアンテナにおいて誘導起電力を発生し整流する等して内部電源電圧を生成している。
【００１８】
つまり、読取り装置が要求信号を送信し、それをデータ中継装置が測定装置に中継し、測定装置が測定データを取得する動作を開始している。ここで発想の転換を行う。読取り装置が要求信号を送信すること、および、データ中継装置が要求信号を測定装置に中継することが長い通信時間の原因であると捉えるのである。そこで、測定装置による測定データの取得の切っ掛けとして読取り装置が要求信号を送信しなくても、測定装置が測定データをデータ中継装置に送信するように構成する対策をとる。定期的または不定期的に測定装置が測定データをデータ中継装置に送信し、データ中継装置は受信した測定データを記憶しておく。この場合のデータ中継装置を動作させるための電源は測定装置から供給するようにする。そして、データ中継装置は、読取り装置からの要求信号を受け取ったときに、記憶していた測定データを読み出して読取り装置に送信する。この場合のデータ中継装置の電源は読取り装置から供給するようにする。この場合の要求信号の意義は、測定装置による測定データの取得ではなく、データ中継装置からの測定データの送信である。ちなみに、従来の技術の場合の要求信号の意義は、測定装置による測定データの取得に加えて、データ中継装置からの測定データの送信も含んでいた。この要求信号がもつ意義を軽減したのが本発明の考え方である。
【００１９】
以上のように、データ中継装置では、読取り装置から受信した要求信号を処理して測定装置に中継する必要がないので、その分、従来の技術に比べて、通信時間を短縮することが可能になっている。
【００２０】
もう１つの対策は、測定装置に対して測定データの取得を要求する切っ掛けは、従来と同様に読取り装置からであるものとするが、読取り装置からデータ中継装置に対して要求信号を送信することをやめ、代わりにデータ中継装置自体が要求信号を生成するように構成することである。ただし、この場合、データ中継装置を動作させるための電源は読取り装置から供給する。読取り装置は、測定データの取得に際して、要求信号は送信せず、電源供給のための非接触通信のみを行うものとする。データ中継装置は、受信する要求信号の処理を行う必要はない。データ中継装置は、読取り装置からの非接触通信を受信して、その受信エネルギーから内部電源電圧を生成し、その電圧レベルが一定以上であれば、内部的に要求信号を発生し、測定装置に与える。
【００２１】
以上のように、読取り装置は要求信号を送信する必要がなく、データ中継装置は受信した要求信号を処理する必要がないので、その分、従来の技術に比べて、通信時間を短縮することが可能になっている。
【００２２】
上記をまとめると、次のようにいうことができる。
【００２３】
第１の解決手段として、本発明によるデータ送受信システムは、測定装置と読取り装置とがデータ中継装置を介してデータ通信を行うものであって、
前記測定装置は、前記データ中継装置に電源を供給するとともに測定データを送出するように構成され、
前記データ中継装置は、前記測定装置から電源を受けて起動して前記測定装置から受け取った測定データを記憶するとともに、前記読取り装置との間で非接触通信を行い、前記非接触通信による受信エネルギーで内部電源電圧を生じて起動し、前記読取り装置からの要求信号に基づいて前記記憶している測定データを非接触通信で前記読取り装置に送信するように構成され、
前記読取り装置は、前記データ中継装置との間で非接触通信を行い、非接触通信による送信エネルギーを前記データ中継装置に送出するとともに要求信号を前記データ中継装置に送信し、前記データ中継装置からの測定データを受信するように構成されている。
【００２４】
これは、データ送受信システムの通信方式として、前記データ中継装置が前記読取り装置からの要求信号を受ける前に、前記測定装置が前記データ中継装置に測定データを記憶させておくものである。
【００２５】
上記構成をより具体的レベルで記述すると、次のようにいうことができる。すなわち、
測定装置と読取り装置とがデータ中継装置を介してデータ通信を行うデータ送受信システムであって、
前記測定装置は、前記データ中継装置に電源を供給する接点と、測定データを伝える接点を備えたものであり、
前記データ中継装置は、非接触通信を行い、非接触通信による受信エネルギーで内部電源電圧を生じる第１の送受信回路と、前記測定装置から電源を受ける状態と前記第１の送受信回路から電源供給を受ける状態との両方またはいずれか一方の状態で前記測定装置との間でデータ通信を行う制御回路と、前記測定装置から受け取った前記測定データの記憶を行うメモリとを備えたものであり、
前記読取り装置は、前記データ中継装置との間で非接触通信を行い、非接触通信による送信エネルギーを前記データ中継装置に送出するとともに要求信号を前記データ中継装置に送信し、前記データ中継装置からの測定データを受信する第２の送受信回路を備えたものである。
【００２６】
測定装置は、測定データをデータ中継装置に送信する。測定装置から測定データを受け取ったデータ中継装置は、測定データを記憶する。この測定データの送受信と記憶の動作は定期的または不定期的に行っておく。そして、適時に、読取り装置がデータ中継装置に対して非接触通信で要求信号を送信する。要求信号を受け取ったデータ中継装置は、記憶している測定データを読み出し、非接触通信によって測定データを読取り装置に送信する。ここで、データ中継装置における制御回路に対する電源の供給については、測定装置からの電源供給でもよいし、読取り装置からの非接触通信での電源供給でもよいし、その両方の同時供給でもよい。これによれば、データ中継装置では、読取り装置から受信した要求信号を処理して測定装置に中継する必要がなく、その分、従来の技術に比べて、通信時間を短縮することが可能になっている。
【００２７】
第２の解決手段として、本発明によるデータ送受信システムは、測定装置と読取り装置とがデータ中継装置を介してデータ通信を行うものであって、
前記読取り装置は、前記データ中継装置との間で非接触通信を行い、非接触通信による送信エネルギーを前記データ中継装置に送出するように構成され、
前記データ中継装置は、前記非接触通信による受信エネルギーで内部電源電圧を生じて起動し、前記内部電源電圧が一定レベル以上のときに前記測定装置に対して要求信号を送出するように構成され、
前記測定装置は、前記データ中継装置からの要求信号に基づいて測定データを前記データ中継装置に送出するように構成され、
前記データ中継装置はさらに、前記測定装置から受け取った測定データを受け取るとともに、前記読取り装置との間で非接触通信を行い、前記受け取った測定データを前記読取り装置に送信するように構成され、
前記読取り装置はさらに、前記データ中継装置との間で非接触通信を行い、前記データ中継装置からの測定データを受信するように構成されている。
【００２８】
これは、データ送受信システムの通信方式として、前記読取り装置から非接触通信による受信エネルギーを受け取った前記データ中継装置が測定データを読み出すための要求信号を自ら発生し、前記要求信号を前記測定装置に送出して通信を開始するものである。
【００２９】
上記構成をより具体的レベルで記述すると、次のようにいうことができる。すなわち、
測定装置と読取り装置とがデータ中継装置を介してデータ通信を行うデータ送受信システムであって、
前記測定装置は、測定データを伝える接点を備えたものであり、
前記データ中継装置は、非接触通信を行い、非接触通信による受信エネルギーで内部電源電圧を生じる第１の送受信回路と、前記電源電圧のレベルを検知する電圧レベル検知回路と、前記電圧レベル検知回路からの信号に基づいて要求信号を発生する要求信号発生回路と、前記第１の送受信回路が生成した電源により動作し、前記測定装置との間でデータ通信を行う制御回路と、前記第１の送受信回路が生成した内部電源電圧により動作し、前記測定データの記憶を行うメモリとを備えたものであり、
前記読取り装置は、前記データ中継装置との間で非接触通信を行い、非接触通信による送信エネルギーを前記データ中継装置に送出するとともに、前記データ中継装置からの測定データを受信する第２の送受信回路を備えたものである。
【００３０】
読取り装置は、非接触通信によりエネルギーをデータ中継装置に与え、データ中継装置は非接触通信による受信エネルギーにより内部電源電圧を生成して起動するとともに、その電圧が一定レベル以上であれば要求信号を生成して測定装置に送出する。データ中継装置は、測定装置から測定データを受け取ると、非接触通信により読取り装置に測定データを送信する。これによれば、読取り装置は要求信号を送信する必要がなく、データ中継装置は受信した要求信号を処理する必要がないので、その分、従来の技術に比べて、通信時間を短縮することが可能になっている。
【００３１】
上記において、さらに発展した態様として、次のように構成することが好ましい。すなわち、前記データ中継装置の前記第１の送受信回路と、前記読取り装置の前記第２の送受信回路は、その通信速度を、前記測定装置と前記データ中継装置との通信速度より速く設定されていることである。少しでも通信時間をより短縮し、通信環境の変化に強いシステム構築を可能とする。
【００３２】
また、別の観点から、前記データ中継装置の前記第１の送受信回路と前記読取り装置の前記第２の送受信回路との間の非接触通信の方式については、電磁誘導を利用したもの、電波を利用したもの、赤外線を利用したもの、光を利用したものなどがあり、使用目的、使用条件等に応じて適切に使い分けるようにすればよい。
【発明の効果】
【００３３】
本発明のデータ送受信システムによれば、通信時間を短縮することができ、アンテナ部の相対位置関係が変動するなどの厳しい通信環境のもとでのデータ通信を可能にすることができる。
【発明を実施するための最良の形態】
【００３４】
以下、本発明にかかわるデータ送受信システムの実施の形態を図面に基づいて詳細に説明する。
【００３５】
（第１の実施の形態）
図１は、本発明の第１の実施の形態に係るデータ送受信システムの構成図である。図１のデータ送受信システム１は、測定装置１０とデータ中継装置２０と読取り装置３０とを備えている。
【００３６】
測定装置１０は、測定データを取得するセンサ１１と、この測定データの処理や通信等の制御を行う第１のマイコン１２と、第１の電源１３とを備えている。
【００３７】
データ中継装置２０は、交番磁界を受けて電圧を誘起する第１のアンテナ２４と、変復調を行い、かつ、電源電圧を生成する第１の送受信回路２３と、第１の送受信回路２３および測定装置１０の第１および第２の接点（Ａ，Ｂ）を介して電源電圧を受けて動作する制御回路２１と、第１の送受信回路２３および測定装置１０の第１および第２の接点（Ａ，Ｂ）を介して電源電圧を受けて動作するメモリ２２とを備えており、第１の接点Ａを介して電源電圧を受けたときに第２および第３の接点（Ｂ，Ｃ）を介して測定装置１０との通信を行い、また、第１の送受信回路２３が電源電圧を生成したときに第１のアンテナ２４を通して非接触で読取り装置３０と通信を行うものである。
【００３８】
読取り装置３０は、磁界を発生する第２のアンテナ３１と、送信と変復調を行う第２の送受信回路３２と、要求信号を出力するなど通信の制御を行う第２のマイコン３３と、第２の電源３４とを備えている。
【００３９】
次に、上記の通りに構成された本発明の第１の実施の形態のデータ送受信システムの動作について、特に、測定装置１０が測定したデータを読取り装置３０に読み出す動作を、図２を参照しながら説明する。
【００４０】
まず、測定装置１０が、データ中継装置２０に送信する動作について説明する。
【００４１】
測定装置１０の第１のマイコン１２は、センサ１１または第１のマイコン１２に内蔵されたメモリから測定データを獲得する（ｔ４）。
【００４２】
そして、測定装置１０は、データ中継装置２０に対して、第１の接点Ａを介して電源電圧を与え、第２および第３の接点（Ｂ，Ｃ）を介して測定データを送信する（ｔ５）。
【００４３】
データ中継装置２０は、この送信された測定データを制御回路２１で処理し、メモリ２２に記憶させる（ｔ６）。
【００４４】
ここまでの動作を、定期的または不定期的な合図によって実行し、メモリ２２に測定データが記憶されている状態にしておく。
【００４５】
次に、読取り装置３０が、データ中継装置２０からデータを取得する動作について説明する。
【００４６】
読取り装置３０の第２のアンテナ３１は、発生する交番磁界に信号を重畳させ、要求信号を送信する（ｔ１）。
【００４７】
その磁界によって、データ中継装置２０は、第１のアンテナ２４に誘導起電力が生じ、これを整流することにより内部電源電圧が生成され、動作可能状態となる。この動作状態において、第１の送受信回路２３は要求信号を抽出する。なお、この場合に、データ中継装置２０の制御回路２１に対して測定装置１０からの電源供給を伴っていてもよい。
【００４８】
制御回路２１は、この抽出された要求信号を受け、メモリ２２から記憶してあった測定データを取り出し（ｔ６）、読取り装置３０に送信する（ｔ７）。
【００４９】
読取り装置３０は、この測定データを受信し、第２のマイコン３３で処理する（ｔ８）。
【００５０】
これによると、データ中継装置２０に事前に測定データを記憶させておくため、読取り装置３０が測定データを取得するときには、データ中継装置２０のメモリ２２までアクセスすればよい。
【００５１】
すなわち、事前に３工程の動作（ｔ４，ｔ５，ｔ６）を行うことにより、さらに４工程の動作（ｔ１，ｔ６，ｔ７，ｔ８）で測定データを読み出すことができる。
【００５２】
したがって、データ中継装置２０と測定装置１０との通信動作（図５のｔ２とｔ３）を省略でき、測定データを取得する通信時間を短縮することができる。
【００５３】
（第２の実施の形態）
図３は、本発明の第２の実施の形態に係るデータ送受信システムの構成図である。図３のデータ送受信システム１は、測定装置１０とデータ中継装置２０と読取り装置３０とを備えている。
【００５４】
測定装置１０は、測定データを取得するセンサ１１と、この測定データの処理や通信等を行う第１のマイコン１２と、第１の電源１３とを備え、第２および第３の接点（それぞれＢ，Ｃ）を介して、データ中継装置２０との通信を行う。
【００５５】
データ中継装置２０は、交番磁界を受けて電圧を誘起する第１のアンテナ２４と、この誘起された電圧から電源電圧を生成する第１の送受信回路２３と、この電源電圧が動作下限電圧に達したかどうかを検知する電圧レベル検知回路２５と、電圧レベル検知回路２５において動作下限電圧以上であると検知された信号によって測定データを読み出す要求信号を発生する要求信号発生回路２６と、測定装置１０との通信を制御する制御回路２１と、測定値等のデータを記憶するメモリ２２とから構成されている。また、データ中継装置２０の電源電圧は、読取り装置３０が発生した磁界により生成される。
【００５６】
読取り装置３０は、磁界を発生する第２のアンテナ３１と、送信と変復調を行う第２の送受信回路３２と、要求信号を出力するなど通信の制御を行う第２のマイコン３３と、第２の電源３４とを備えている。
【００５７】
次に、上記の通りに構成された本発明の第２の実施の形態のデータ送受信システムの動作について、特に、測定装置１０が測定したデータを読取り装置３０に読み出す動作を、図４を参照しながら説明する。
【００５８】
まず、読取り装置３０の第２のアンテナ３１は、交番磁界のみを発生する。要求信号は送信しない。発生した磁界によってデータ中継装置２０は、第１のアンテナ２４に誘導起電力が生じ、これを整流することにより電源電圧が生成され、動作可能状態になる。
【００５９】
電圧レベル検知回路２５は、この電源電圧のレベルが動作下限電圧以上であるとき、信号を出力する。この信号を受けて、要求信号発生回路２６は、測定装置１０との通信可能な要求信号を自ら発生し、制御回路２１を通して測定装置１０に送信する（ｔ３）。
【００６０】
次に、測定装置１０は、第１および第２の接点（Ａ，Ｂ）を介して第１のマイコン１２で受信し、センサ１１または第１のマイコン１２に内蔵されたメモリから測定データを獲得し（ｔ４）、データ中継装置２０に送信する（ｔ５）。
【００６１】
データ中継装置２０は、この送信された測定データを制御回路２１で処理し（ｔ６）、第１の送受信回路２３を経て第１のアンテナ２４から送信する（ｔ７）。
【００６２】
読取り装置３０は、第２のアンテナ３１を経て第２の送受信回路３２により受信し、その測定データを第２のマイコン３３で処理する（ｔ８）。
【００６３】
これによると、データ中継装置２０の電源電圧が動作下限電圧に達すると、自動的に要求信号を発生することにより、読取り装置３０とデータ中継装置２０の通信工程（図５のｔ１とｔ２）を省略し、６工程の動作（ｔ３からｔ８まで）で測定データを取り出すことができる。
【産業上の利用可能性】
【００６４】
本発明に係るデータ送受信システムは、測定装置のデータを非接触で通信できる機能を有し、ガスメータや水道メータや電力メータ等として有用である。また、血糖値センサ等の用途にも応用できる。
【図面の簡単な説明】
【００６５】
【図１】本発明の第１の実施の形態に係るデータ送受信システムの構成を示す図
【図２】本発明の第１の実施の形態に係るデータ送受信システムの通信時間を示す図
【図３】本発明の第２の実施の形態に係るデータ送受信システムの構成を示す図
【図４】本発明の第２の実施の形態に係るデータ送受信システムの通信時間を示す図
【図５】従来のデータ送受信システムの構成を示す図
【図６】従来のデータ送受信システムの通信時間を示す図
【符号の説明】
【００６６】
１…データ送受信システム
１０…測定装置
１１…センサ
１２…第１のマイコン
１３…第１の電源
２０…データ中継装置
２１…制御回路
２２…メモリ
２３…第１の送受信回路
２４…第１のアンテナ
２５…電圧レベル検知回路
２６…要求信号発生回路
３０…読取り装置
３１…第２のアンテナ
３２…第２の送受信回路
３３…第２のマイコン
３４…第２の電源
Ａ…第１の接点
Ｂ…第２の接点
Ｃ…第３の接点
ｔ１…要求信号送信期間
ｔ２…要求信号処理期間
ｔ３…測定装置への送信時期間
ｔ４…マイコン処理期間
ｔ５…データ中継装置への送信期間
ｔ６…データ中継処理期間
ｔ７…読取り装置への送信期間
ｔ８…測定データ処理期間
【図１】
2005149081.tif 000003
【図２】
2005149081.tif 000004
【図３】
2005149081.tif 000005
【図４】
2005149081.tif 000006
【図５】
2005149081.tif 000007
【図６】
2005149081.tif 000008